(57)【要約】【課題】本発明は草刈り時の飛び石の防除、一人作業の実施、作業の軽減、農作業では異なる野菜、果樹の消毒の防疫。【解決手段】本発明はネット（１４）を簡単に装着、取り外しが出来てエンビパイプ（５）の天上に転倒防止を防ぐロープを掛ける金具（１）、飛散防止ネットを掛ける金具（３）飛散防止ネットを挟んで留める面ファスナー（４）を装着した支柱（５）を土台（１６）の治具（８）に合体させる、全部が組み立て式で移動が容易く色んな形で据え置く事が出来る、高さもネットに合わせて支柱を製作する事が出来る、転倒防止策として土台の治具にＣ型鋼を加工した羽根出し（１１）をつける、距離も土台の数を多く据え置くことで長い距離の防除が出来る、据え置き式で簡単に持ち運びが出来て一人作業、壁のような条件が悪い場所でも安全が確保でき、農業では野菜、果樹の住み分けに、境に設置する事によって防疫の役目になる。【選択図】図２
2019083807.tif 000002
【特許請求の範囲】
【請求項１】
草刈機を行うと飛び石が生じるので、物損事故を防止すると供に、ネットの網目が細かいため、農業の消毒作業にも使用でき、消毒液は果樹、野菜の生育状況や天候、季節等により様々に分類されており、対象作物に適切な消毒を散布しなければならない。対象作物以外に消毒液が飛散しないよう、作物の境界に移動式簡単飛散防止ネットを設置する事で、周囲の農作物や民家への飛散防止ネットであって、
支柱にエンビパイプ（５）を使用して土台（１６）にゴム加工されている重石状のコーンベット（１２）を使用する事によって、転倒しても被害が少ない、転倒防止対策とし（１）ロープで固定（１１）羽根出しを取り付ける、自立支柱据え置き方式からなり、
上記ネット部材の支柱エンビパイプ（５）の頂上に転倒を防ぐ為にロープを装着する金具（１）とネットを引掛ける金具（３）とネットが捲くれない様に抑える面ファスナー（４）を備えた支柱であり、
支柱を立てる土台（１６）の底にはゴム加工されている重石状のコーンベット（１２）と支柱を装着する冶具にボルト（７）４箇所で固定する、エンビパイプの支柱を留める冶具（８）半円形状に加工をした金属の板２枚に、角度調整用の孔を複数設け支柱が留められるようにして、土台と冶具の金属部分に溶接加工し、
傾斜地の作業では垂直にネットを設置し、クサビで土台を固定することによりネットの転倒防止が可能であって、
軽量鉄骨Ｃ型鋼を加工してＣ型鋼の上面に長孔を設け、横側に左右対称に５ｃｍ位の長さに上面までカットを施し、コーンベットの土台角の４箇所どこにでも簡単に付けたり外したり出来、安定感確保し、Ｃ型鋼の補助材も長い物、短い物を備える事で様々な場面で活用ができ、
携帯性を重視し軽量にし、強い風での作業では転倒防止ロープを強く張るため、支柱の転倒を防止するために、羽根出しをクサビで固定し、安全を確保した移動式簡単飛散防止ネット。
【請求項２】
草刈機を行うと飛び石が生じるので、物損事故を防止すると供に、ネットの網目が細かいため、農業の消毒作業にも使用でき、消毒液は果樹、野菜の生育状況や天候、季節等により様々に分類されており、対象作物に適切な消毒を散布しなければならない、対象作物以外に消毒液が飛散しないよう、作物の境界に移動式簡単飛散防止ネットを設置する事で、周囲の農作物や民家への飛散防止ネットであって、
請求項  １  に記載されているエンビパイプ（５）の支柱は厚めのパイプを使用、軽く軟らかく丈夫で加工も容易く転倒しても被害が少ない、転倒防止にロープ（１）を装着する為の金具を取り付けた請求項  １  に記載された、移動式簡単飛散防止ネット。
【請求項３】
飛散防止ネットを装着し支柱を立てる土台（１６）の冶具には、支柱の分度調整を可能にするため、金属の板を一部分半円形状に加工し複数の孔を設け土台に溶接加工をし、支柱を背面に当てると傾斜地でも支柱を垂直に設置でき、フェンス状のネットが転倒することなく、安心して草刈作業が実施できる、請求項  １  に記載された移動式簡単飛散防止ネット。
【請求項４】
飛散防止ネットを装着し支柱を立てる土台（１６）の底には、ゴム加工された重石状のコーンベット（１２）をボルト（７）４本で四隅を留める。金属の板にゴム制のコーンベットが底に貼ってあり角がないので接触して倒れても被害が救いない、請求項  ３  に記載された移動式簡単飛散防止ネット。
【請求項５】
飛散防止ネットを自立させるために土台（１６）の冶具には風に煽られても、転倒を回避するための補助材として長さ５０ｃｍ位の軽量鉄骨Ｃ型鋼（１１）をコーンベットの四隅のボルトを緩めるだけで（１１）の補助材が取り付くよう、Ｃ型の一辺５ｃｍ位を切り取る事と、四隅のボルトに差し込むために、Ｃ型鋼の上面に長孔の溝を付け、（１１）を土台に羽根出し状にし、地面の状況に合わせて取り付け、緩めたボルトを締め付ける、請求項  ４  に記載された移動式簡単飛散防止ネット。
【発明の詳細な説明】
【技術分野】
【０００１】  本発明は移動式簡単飛散防止ネットに、飛散防止ネットを装着する為の支柱にエンビパプを加工して使用し、エンビパイプにロープを掛ける転倒防止対策の他、ネットを掛ける金具、ネットを挟むために面ファスナーを付ける。土台は作業場所の傾斜を考慮し、支柱の底部に角度調整金具を施し、本ネットの安定性を確保し、傾斜地で本ネットを使用可能にする為のクサビと、支柱底の角度調整金具とゴム加工重石状のコーンベット土台に、角度調整金を４本のボルトで固定する。【０００２】  エンビパイプ頂上の転倒防止ロープを掛ける金具、土台には補助材として風、設置面目等を考慮し、支柱に加わる外力に対応するため、支柱土台にＣ型鋼を加工した物を支柱安定のため羽根出として、取り付ける様にし、支柱は軟らかく軽量のエンビパイプとし、万が一転倒しても人的被害の少ない材料を選定し、土台に取り付く角度調整金具は、角度調整孔の整列のとおり半円形状に加工した。
【背景技術】
【０００３】  従来、草刈りの飛び石の防除ついては、専用作業員がシート、コンパネ等を持って草刈り機に合わせて移動しています、車道での作業、高所での悪条件の作業では草刈り機に気を取られて足元の注意が疎かになる、カラーコーンを利用したものについては、飛散する砂利等について、コーンの背丈以上飛散する物については、対応できてはない。【０００４】  （特許文献  １）、アルミ材の枠に飛散防止ネットを装着して後ろ手で支える取っ手があり、取っ手を支えた作業員が草刈り機に合わせて移動しています、横幅２、７ｍ高さ１、８ｍで出来ています。一定方向の防御しか対処できないのと一人作業が出来ない、更に、飛び石の方向によっては３ｍの長さでは防御が出来かね、高所での作業では安全な作業が行えない。【０００５】  （特許文献  ２）、人が背負いベルトで吊り下げて横架部材を両手に持って、支えながら移動を行う飛散防止ネットのようですが、背負って作業を行う作業者は足元の安全、体力に負担がかかる、傾斜地・高所での不安定な場所では安全作業ができない、又、ネット専用作業員が必要で一人作業ができない。【０００６】  （特許文献  ３）、建設現場で危険を回避する為に設置されるカラーコーンに、支柱を立て防除ネットを装着した物が提案されているが、重石だけではネットが風に煽られた場合は転倒する可能性あり、傾斜地での設置はネット自体が不安定である。
【先行技術文献】
【特許文献】
【０００７】
【特許文献１】実用新案登録第  ３１０７６４９号公報
【特許文献２】実用新案登録第  ３１４９１７５号公報
【特許文献３】実用新案登録第  ３１４９１７６号公報
【発明の概要】
【発明が解決しようとする課題】
【０００８】  （特許文献  １）、アルミ材の枠に飛散防止ネットを装着して、後ろ手で支える取っ手があり、取っ手を支えた作業員が草刈り機に合わせて移動していますが、横幅２、７ｍ高さ１、８ｍで出来ています、一定方向の防御しか対処できないのと一人作業が出来ない、更に、飛び石の方向によっては３ｍの長さでは防御が出来ない、高所での安全な作業が出来ないので、安全性を考慮して、作業員が短時間に配置できる防護ネットを発明した。作業員一人が設置でき、高さについては広範囲に設定できる。【０００９】  （特許文献  ２）、人が背負いベルトで吊り下げて横架部材を両手に持って、支えながら移動を行う飛散防止ネットのようですが、背負って作業を行う作業者は足元の安全、体力に負担がかかる、傾斜地・高所での不安定な場所では安全作業ができない、又、ネット専用作業員が必要であり草刈は一人できない、本件の発明は、準備作業として防護ネットは作業員一人が設置でき、足場に関しては、草刈作業員が安全であれば良い。【０００１０】  （特許文献  ３）、建設現場で危険を回避する為に設置されるカラーコーンに、支柱を立て防除ネットを装着した物が提案されているが、重石だけではネットが風に煽られた場合は転倒する可能性あり、傾斜地での設置はネット自体が不安定であり、本件の発明はエンビパイプを構造部材に使用し、軽量化を実現し、傾斜面安定性確保として適正な支柱の確度調整とクイで固定できるようにした。
【課題を解決するための手段】
【０００１１】  本発明の移動式簡単飛散防止ネットは支柱、土台、ネットのパーツで構成され、組み立ては簡単であり、この他に利用範囲は広く草刈作業以外に、さまざまな目的で活用でき、作業場所に作業員一人で短時間に設置でき、傾斜面・高所場等悪条件の場所でも設置可能で、風に煽られた場合もロープ、クサビ、補助材の羽根出しで対処でき、又持ち運びが容易に出来きるエンビパイプを、支柱の材料として活用している、又、持ち運びの祭はエンビパイプ及びゴムの素材のため、足に落下したとしても安全であり、強風等でネットが転倒しても鉄製よりは被害は少ない。
【発明の効果】
【０００１２】  組み立て式で簡単に地形の変化に対応して、長い距離でも飛散防止ネットが設置でき、草刈り時の飛び石を防ぎ、一人作業も安全にこなせ、又、傾斜面・高所場等悪条件の場所でも設置可能で、風に煽られた場合もロープ、クサビ等で固定する事によって安全が確保でき、本、ネットをＬ字状やコの字状に土台と支柱で設置し、その中で草刈り機による草刈作業を実施し、機械でナイロンコードや刈刃で作業を行うと、飛び石が四方八方に飛散するので、この移動式簡単飛散防止ネットを設置することにより、飛び石の防除が出来た。【０００１３】  移動式簡単飛散防止ネットの利用法については、ネットの網目が細かいため、農業の消毒作業にも使用でき、消毒液は果樹、野菜の生育状況や天候、季節等により様々に分類されており、対象作物に適切な消毒を散布しなければならない、対象作物以外に消毒液が飛散しないよう、作物の境界に移動式簡単飛散防止ネットを設置する事で、周囲の農作物や民家への飛散防止となり安全である。【０００１４】移動式簡単飛散防止ネットを車両に搭載する場合も土台、支柱、ネットの組み立て式のため、分解して梱包するとコンパクトで簡単に搭載可能である、又、倉庫に収納する場合も床面積は少なくてすむ。
【図面の簡単な説明】
【０００１５】
【図１】  本発明の移動式簡単飛散防止ネットの正面図、側面図、傾斜にした正面図
【図２】  移動式簡単飛散防止ネットを組み立ててセットした正面図、平面図である
【図３】  支柱を装着する冶具の図面である
【図４】  移動式簡単飛散防止ネットを装着する支柱の図面である
【図５】  転倒防止を防ぐ為の補助材の図面である
【図６】  転倒防止、ズレ止め、ネットの跳び上げを防止するクサビの図面である
【図７】  土台の底に装着するコーンベットの側面図、平面図である
【発明を実施するための形態】
【０００１６】  以下、本発明の実施の形態を図  １〜７  に基づいて説明する。
【０００１７】  図においては、５  は支柱にするためのエンビパイプ、１  は転倒防止を防ぐ為のロープ掛け金具で、２  はロープ掛け金具を装着する為にエンビパイプの頂上に付けるキャップ、３  は飛散防止ネットを掛ける金具で、１４  飛散防止ネットが風に煽られても捲くれ無い様にする為に、４  面ファスナーでネットを挟んで留め、エンビパイプの下部には、１６  土台に留める為の  ６  通し孔を設ける。
【０００１８】  ８  は支柱を留める為の治具で、治具の底には、１２  のゴム加工されている重石状のコーンベットに開けてある  ７の孔で、四箇所をボルトで固定する、８  治具は支柱の分度調整可能にするため、金属の板に一部分半円形状に加工した金属の板  １０  複数の孔を設け  １５を土台に溶接加工をし、支柱を背面に当てると傾斜地でも支柱を垂直に設置でき、フェンス状のネットが転倒することなく、安心して草刈作業が実施できる。
【０００１９】  転倒防止と傾斜地でのズレ止めに、  １３  クサビを打つ事によって安定させる事が出来る。補助材として  １１  長さ５０ｃｍ位の軽量鉄骨Ｃ型鋼をコーンベットの四隅のボルトを緩めるだけで  １１  の補助材が取り付くよう、Ｃ型の一辺５ｃｍ位を切り取る事と、四隅のボルトに差し込むために、Ｃ型鋼の上面に長孔の溝を付ける、  １１  を土台に羽根出し状にし、地面の状況に合わせて取り付け、緩めたボルトを締め付ける、簡単に付けたり外したり出来、安定感確保した、Ｃ型鋼の補助材も長い物、短い物を備える事で様々な場面で活用ができる。
【実施例】
【０００２０】  以下添付図面に従って一実施例を説明する。（符号２）のキャップに（符合１）のロープを掛ける金具を取り付け、ロープを掛ける、防護ネットを吊り下げる為の金具を付け（符号４）の面ファスナーでネットを風に煽られないようにネットを挟んで留める、エンビパイプの支柱を支える冶具（符号８）の底部のコーンベット（符号１２）を留める（符号７）ボルトで組み立てる、（符号８）支柱を支える金具に支柱を垂直に保つための（符号９）当て板を取り付け、支柱が傾斜した時に角度を決め（符号１０）ボルト弐箇所で固定する、転倒回避のため（符号１１）羽根出し補助材を（符号８）コーンベットに取り付け、傾斜地ズレ止め（符号１３）クサビを打ち込む、又、クサビはネットの跳ね上げの防止に使用する事も出来る、全部のパーツを組み立てて活用する事によって草刈の飛び石の防除、一人作業が可能となり又据え置き方式ですので高所のような悪い条件の壁のような場所でも安心に仕事が出来る、足元の心配も無くなり、転倒防止にロープで固定する他、又羽根出しの補助材の軽量鉄骨のＣ型鋼を装着する事によって風に煽られた場合でも安全である、対象作物以外に消毒液が飛散しないよう、作物の境界に移動式簡単飛散防止ネットを設置する事で、周囲の農作物や民家への飛散防止となり安全である。
【符号の説明】
【０００２１】  １  ロープ掛け金具
２  キャップ
３  防護ネットを吊り下げる金具
４  面ファスナー
５  エンビパイプ
６  支柱を留めるボルト
７  冶具とコーンベット留めるボルト孔
８  支柱を留める金具
９  支柱を垂直に保つ為の当て板
１０  角度調整ボルト孔
１１  羽根出し補助材
１２  コーンベット
１３  クサビ
１４  ネット
１５  溶接
１６  土台
【図１】
2019083807.tif 000003
【図２】
2019083807.tif 000004
【図３】
2019083807.tif 000005
【図４】
2019083807.tif 000006
【図５】
2019083807.tif 000007
【図６】
2019083807.tif 000008
【図７】
2019083807.tif 000009